【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
所定条件の成立に基づいて、生成された乱数から乱数値を始動情報として取得し、当該取得された始動情報に基づいて抽選を実行するとともに、動的表示を実行可能とし、通常遊技状態と通常遊技状態と比較して遊技者が有利となる特定遊技状態とを有する遊技機であって、
第１始動口への通過を契機として動的表示を開始する第１動的表示手段と、
第２始動口への通過を契機として動的表示を開始する第２動的表示手段と、
前記第１始動口又は前記第２始動口への通過を契機として前記動的表示が開始されるまでに所定数を限度として前記始動情報を記憶する保留記憶手段と、
前記保留記憶手段とは異なり、前記始動情報を記憶可能な始動情報記憶手段と、
前記第１動的表示手段の動的表示の開始時に、前記動的表示を開始する始動情報を前記保留記憶手段から前記始動情報記憶手段に記憶し、前記始動情報記憶手段に記憶した始動情報に基づいて動的表示の種類を選択する第１動的表示時変動種別判定手段と、
前記第２動的表示手段の動的表示の開始時に、前記動的表示を開始する始動情報を前記保留記憶手段から前記始動情報記憶手段に記憶し、前記始動情報記憶手段に記憶した始動情報に基づいて動的表示の種類を選択する第２動的表示時変動種別判定手段と、
前記第１動的表示手段の動的表示が開始される前に、前記始動情報を前記始動情報記憶手段に記憶し、前記始動情報記憶手段に記憶した始動情報に基づいて前記動的表示の種類を選択する第１事前変動種別判定手段と、
前記第２動的表示手段の動的表示が開始される前に、前記始動情報を前記始動情報記憶手段に記憶し、前記始動情報記憶手段に記憶した始動情報に基づいて前記動的表示の種類を選択する第２事前変動種別判定手段と、
を備え、
前記第１動的表示時変動種別判定手段と前記第１事前変動種別判定手段は、前記始動情報記憶手段に記憶した始動情報に基づいて前記動的表示の種類を選択する処理が共通であり、かつ、前記第２動的表示時変動種別判定手段と前記第２事前変動種別判定手段は、前記始動情報記憶手段に記憶した始動情報に基づいて前記動的表示の種類を選択する処理が共通であり、
前記第１動的表示時変動種別判定手段と前記第１事前変動種別判定手段において前記動的表示の種類を選択する処理と、前記第２動的表示時変動種別判定手段と前記第２事前変動種別判定手段において前記動的表示の種類を選択する処理も共通であり、
前記通常遊技状態においては、前記第１始動口への通過を契機として前記始動情報記憶手段に記憶された始動情報に基づき前記第１動的表示時変動種別判定手段によって実行される処理と、前記第１動的表示時変動種別判定手段によって実行される処理と共通する処理である前記第２動的表示時変動種別判定手段によって実行される処理はともに実行可能とされ、かつ、前記第１始動口への通過を契機として前記始動情報記憶手段に記憶された始動情報に基づき前記第１動的表示時変動種別判定手段によって実行される処理と共通する処理である前記第１事前変動種別判定手段によって実行される処理が実行可能とされるのに対して、前記第１事前変動種別判定手段によって実行される処理と共通する処理である前記第２事前変動種別判定手段によって実行される処理は実行されないようにされている
ことを特徴とする遊技機。
【手続補正２】
【補正対象書類名】明細書
【補正対象項目名】０００２
【補正方法】変更
【補正の内容】
【０００２】
遊技媒体が始動領域を通過することで始動情報を取得し、当該始動情報に基づいて抽選を実行するとともに当該抽選結果に基づいて図柄を動的表示させ、図柄の停止結果が所定の態様となった場合に所定の遊技価値を付与する遊技機が知られている。このような遊技機には、図柄の動的表示を開始する前に図柄の停止結果が所定の態様となる期待度を事前に判定し、遊技者に報知する演出が実行されるものが知られている（例えば、特許文献１参照）。
【手続補正３】
【補正対象書類名】明細書
【補正対象項目名】０００３
【補正方法】変更
【補正の内容】
【０００３】
【特許文献１】特開２０１１−１３６０４７号公報
【手続補正４】
【補正対象書類名】明細書
【補正対象項目名】０００４
【補正方法】変更
【補正の内容】
【０００４】
上記した遊技機では、動的表示の開始時及び事前判定時に抽選を実行する。しかしながら、抽選の実行タイミングによって異なる始動情報を参照する必要があるため、抽選結果を判定するタイミングなどに応じた処理を設けなければならなくなり、遊技制御にかかるプログラム容量が増加するおそれがあった。
【手続補正５】
【補正対象書類名】明細書
【補正対象項目名】０００５
【補正方法】変更
【補正の内容】
【０００５】
本発明が解決しようとする課題は、上記事情に鑑みなされたもので、遊技制御にかかるプログラム容量の増加を抑制することである。
【手続補正６】
【補正対象書類名】明細書
【補正対象項目名】０００６
【補正方法】変更
【補正の内容】
【０００６】
本発明の遊技機の代表的な一形態では、所定条件の成立に基づいて、生成された乱数から乱数値を始動情報として取得し、当該取得された始動情報に基づいて抽選を実行するとともに、動的表示を実行可能とし、通常遊技状態と通常遊技状態と比較して遊技者が有利となる特定遊技状態とを有する遊技機であって、第１始動口への通過を契機として動的表示を開始する第１動的表示手段と、第２始動口への通過を契機として動的表示を開始する第２動的表示手段と、前記第１始動口又は前記第２始動口への通過を契機として前記動的表示が開始されるまでに所定数を限度として前記始動情報を記憶する保留記憶手段と、前記保留記憶手段とは異なり、前記始動情報を記憶可能な始動情報記憶手段と、前記第１動的表示手段の動的表示の開始時に、前記動的表示を開始する始動情報を前記保留記憶手段から前記始動情報記憶手段に記憶し、前記始動情報記憶手段に記憶した始動情報に基づいて動的表示の種類を選択する第１動的表示時変動種別判定手段と、前記第２動的表示手段の動的表示の開始時に、前記動的表示を開始する始動情報を前記保留記憶手段から前記始動情報記憶手段に記憶し、前記始動情報記憶手段に記憶した始動情報に基づいて動的表示の種類を選択する第２動的表示時変動種別判定手段と、前記第１動的表示手段の動的表示が開始される前に、前記始動情報を前記始動情報記憶手段に記憶し、前記始動情報記憶手段に記憶した始動情報に基づいて前記動的表示の種類を選択する第１事前変動種別判定手段と、前記第２動的表示手段の動的表示が開始される前に、前記始動情報を前記始動情報記憶手段に記憶し、前記始動情報記憶手段に記憶した始動情報に基づいて前記動的表示の種類を選択する第２事前変動種別判定手段と、を備え、前記第１動的表示時変動種別判定手段と前記第１事前変動種別判定手段は、前記始動情報記憶手段に記憶した始動情報に基づいて前記動的表示の種類を選択する処理が共通であり、かつ、前記第２動的表示時変動種別判定手段と前記第２事前変動種別判定手段は、前記始動情報記憶手段に記憶した始動情報に基づいて前記動的表示の種類を選択する処理が共通であり、前記第１動的表示時変動種別判定手段と前記第１事前変動種別判定手段において前記動的表示の種類を選択する処理と、前記第２動的表示時変動種別判定手段と前記第２事前変動種別判定手段において前記動的表示の種類を選択する処理も共通であり、前記通常遊技状態においては、前記第１始動口への通過を契機として前記始動情報記憶手段に記憶された始動情報に基づき前記第１動的表示時変動種別判定手段によって実行される処理と、前記第１動的表示時変動種別判定手段によって実行される処理と共通する処理である前記第２動的表示時変動種別判定手段によって実行される処理はともに実行可能とされ、かつ、前記第１始動口への通過を契機として前記始動情報記憶手段に記憶された始動情報に基づき前記第１動的表示時変動種別判定手段によって実行される処理と共通する処理である前記第１事前変動種別判定手段によって実行される処理が実行可能とされるのに対して、前記第１事前変動種別判定手段によって実行される処理と共通する処理である前記第２事前変動種別判定手段によって実行される処理は実行されないようにされていることを特徴とする。
【手続補正７】
【補正対象書類名】明細書
【補正対象項目名】０００７
【補正方法】変更
【補正の内容】
【０００７】
本発明の一形態によれば、遊技制御に係る処理を共通化し、遊技制御にかかるプログラム容量の増加を抑制することができる。